(57)【特許請求の範囲】
【請求項１】
開口を有し有底の鍋と、前記鍋が収容されると共に前記鍋内の被炊飯物を加熱する加熱手段が設けられた炊飯器本体と、前記鍋及び前記炊飯器本体の開口を塞ぐ蓋体と、前記鍋内と外気とを連通又は遮断する圧力弁と、プランジャーの駆動により前記圧力弁を強制的に開放及び閉塞させる圧力弁開放機構と、前記加熱手段及び前記圧力弁開放機構を制御する制御手段とを備え、一連の炊飯工程のうち沸騰維持工程中に前記鍋内を大気圧以上に加圧して炊飯する圧力式炊飯器において、前記プランジャーの駆動方向と、前記圧力弁を開放するスライダー部材の駆動方向が同一で、かつ、圧力の開放時に、両者とも前記蓋体の後方方向へ駆動する方向であり、また、ほぼ並行に配置されており、前記プランジャーの駆動と前記スライダー部材の駆動は、複数のリンク機構により連結されており、前記リンク機構は、前記プランジャーの移動に追従して動作する移動部材に連結された第１のリンク機構と、前記第１のリンク機構及び前記スライダー部材に連結された第２のリンク機構と、から構成されており、前記第１のリンク機構と前記第２のリンク機構とは遊びを持って連結されていることを特徴とする圧力式炊飯器。
【請求項２】
プランジャーの駆動する量と、スライダー部材の駆動する量が、リンク機構により同じ駆動量になることを特徴とする請求項１に記載の圧力式炊飯器。
【請求項３】
プランジャーの駆動する量と、スライダー部材の駆動する量を、リンク機構により調整できるようにしたことを特徴とする請求項１に記載の圧力式炊飯器。
【発明の詳細な説明】
【技術分野】
【０００１】
本発明は、鍋内を加圧状態にして炊飯を行うことにより、美味しい御飯を炊き上げるようにした圧力式炊飯器に関するものである。
【背景技術】
【０００２】
電気炊飯器は、今や一般家庭において必需品の一つとなっており、様々なタイプの炊飯器が開発されている。この電気炊飯器は、鍋内の圧力をほぼ常圧で炊飯する常圧式と、大気圧以上の圧力に昇圧して炊飯する圧力式とに大別されており、近年は後者の圧力式炊飯器が広く普及し始めて来ている。
【０００３】
例えば、特許文献１には、炊飯の過程で加圧と減圧を繰り返し行う方式、つまり加圧時に高温を与えて熱と水分を米の芯に浸透させ、その状態からの急激な減圧によって起きる爆発的対流により米をかき混ぜ熱をむらなく通す、いわゆる「おどり炊き」方式の圧力式炊飯器が開示されている。
【０００４】
この炊飯方式は、加圧時には、例えば１．２気圧、１０５℃で炊飯し、減圧時には急激に１気圧まで減圧することを、被炊飯物に応じて数回乃至十数回繰り返すものである。そうすると、米の場合には、加圧時には熱と水分が米の芯まで浸透して甘みと粘りを引き出し、減圧時には突沸が発生して、米が鍋の底からかき混ぜられることになるので、米の吸水が促進され米が芯からα化するとともに、撹拌により鍋の中心部まで均一に加熱され、ふっくらしたご飯が炊けるとされている。
【０００５】
このように、従来の圧力式炊飯器では、被炊飯物を入れる鍋に溜められた水が炊飯時に加熱され加圧された状態から急激に減圧されると、一気に沸騰して激しい熱対流を引き起こすこととなり、この沸騰熱が米に浸透し、美味さを引き出すことができ、かつ沸騰水によりかき混ぜられた米は吸水が促進され、各粒の芯からα化されるとされている。
【０００６】
この種の圧力式炊飯器としては、蓋体に設けられ、鍋と外気とを連通する蒸気通路内に
位置するように、蒸気通路を閉塞する圧力弁を配設し、鍋内を大気圧より高い圧力に加圧できるようにしたものがある。
【０００７】
この種の圧力式炊飯器では、炊飯中または、炊飯工程中に圧力の有無を切り替えるために、圧力弁の開閉を行う圧力弁開放機構が設けられており、様々な工夫がなされているが、この圧力弁開放機構は、容易に弁の開閉を行うために、一般的に電磁弁（ソレノイド）が使われており、炊飯の制御に合わせて、きめ細かな圧力制御を可能としている。
【０００８】
また、特許文献２に記載されたような従来の圧力式炊飯器では、圧力弁開放機構が蓋体の前方に配置されている。
【先行技術文献】
【特許文献】
【０００９】
【特許文献１】特開２００１−２７５８３４号公報
【特許文献２】特開２００５−０４０３９６号公報
【発明の概要】
【発明が解決しようとする課題】
【００１０】
しかしながら、上記特許文献１に記載された従来の圧力式炊飯器では、ソレノイドの駆動方向と、圧力弁を開放するスライダーの駆動方向が逆向きになっており、また、弁開放時の弁開放方向が蓋体の前方を向いているため、圧力炊飯中には、蓋体は、本体後方のヒンジ部にて軸支されているため、内部圧力により、蓋体が上向きに押し上げられたとき、蓋体の前方が上向きに傾く構造であり、圧力の開放に対して、蓋の傾きにより、ソレノイドの開放方向とは逆向きの加重抵抗がかかり、スムースな開放ができない、という課題があった。
【００１１】
このため、ソレノイドの開放方向は、蓋体の後方を向いていることが好ましく、圧力の開放については、安全面においても抵抗なく、スムースに行われることが望まれる。
【００１２】
また、特許文献２に記載されたような従来の圧力式炊飯器では、圧力弁開放機構の配置が蓋体の前方にあるため、蓋の全長が大きくなり、その結果、圧力式炊飯器の全長も大きくなる課題があった。
【００１３】
本発明は、上記従来の課題を解決し、圧力弁開放機構をスムースに駆動させて安全性を確保すると同時に、蓋体を小さくすることができ、デザイン的にもコンパクトな圧力式炊飯器を提供することを目的とするものである。
【課題を解決するための手段】
【００１４】
上記従来の課題を解決するために、本発明の圧力式炊飯器は、開口を有し有底の鍋と、前記鍋が収容されると共に前記鍋内の被炊飯物を加熱する加熱手段が設けられた炊飯器本体と、前記鍋及び前記炊飯器本体の開口を塞ぐ蓋体と、前記鍋内と外気とを連通又は遮断する圧力弁と、プランジャーの駆動により前記圧力弁を強制的に開放及び閉塞させる圧力弁開放機構と、前記加熱手段及び前記圧力弁開放機構を制御する制御手段とを備え、一連の炊飯工程のうち沸騰維持工程中に前記鍋内を大気圧以上に加圧して炊飯する圧力式炊飯器において、前記プランジャーの駆動方向と、前記圧力弁を開放するスライダー部材の駆動方向が同一で、かつ、圧力の開放時に、両者とも前記蓋体の後方方向へ駆動する方向であり、また、ほぼ並行に配置されており、前記プランジャーの駆動と前記スライダー部材の駆動は、複数のリンク機構により連結されており、前記リンク機構は、前記プランジャーの移動に追従して動作する移動部材に連結された第１のリンク機構と、前記第１のリンク機構及び前記スライダー部材に連結された第２のリンク機構と、から構成されており、
前記第１のリンク機構と前記第２のリンク機構とは遊びを持って連結されているもので、プランジャーの駆動方向と、スライダー部材の駆動方向が同一方向にすると同時に、プランジャーの開放方向を蓋体の後方を向けることにより、圧力加圧中の蓋体の前方の傾きの影響を受けず、圧力の開放をスムースに行うことができる。また、両者をほぼ並行に配置することにより、蓋体の全長を抑えて、コンパクトな圧力式炊飯器を提供することができる。
【発明の効果】
【００１５】
本発明の圧力式炊飯器は、圧力加圧中の蓋体の前方の傾きの影響を受けず、圧力の開放をスムースに行うことができる。また、プランジャーとスライダー部材をほぼ並行に配置することにより、蓋体の全長を抑えて、コンパクトな圧力式炊飯器を提供することができる。
【図面の簡単な説明】
【００１６】
【図１】本発明の実施の形態１にかかる圧力式炊飯器の外観斜視図
【図２】同圧力式炊飯器の蓋体の外蓋を外した時のその内部状態を示す平面図
【図３】同圧力式炊飯器の蓋体の一部を外した時のその内部状態を示す側面図
【図４】同蓋体の一部を外した時の内部状態を示す斜視図
【図５】図４に示す蓋体の内部の一部拡大図
【図６】同圧力式炊飯器の圧力弁と圧力弁開放機構が作動していない状態における蓋体内部平面図
【図７】図６の蓋体の内部の一部拡大図
【図８】同圧力式炊飯器の圧力弁と圧力弁開放機構が作動している状態における蓋体内部平面図
【図９】図８に示す蓋体の内部の一部拡大図
【図１０】同圧力弁を示す説明図
【図１１】同圧力式炊飯器の圧力弁開放機構の構成を示す分解斜視図
【図１２】同圧力式炊飯器の蓋体の要部拡大断面図
【発明を実施するための形態】
【００１７】
第１の発明は、開口を有し有底の鍋と、前記鍋が収容されると共に前記鍋内の被炊飯物を加熱する加熱手段が設けられた炊飯器本体と、前記鍋及び前記炊飯器本体の開口を塞ぐ蓋体と、前記鍋内と外気とを連通又は遮断する圧力弁と、プランジャーの駆動により前記圧力弁を強制的に開放及び閉塞させる圧力弁開放機構と、前記加熱手段及び前記圧力弁開放機構を制御する制御手段とを備え、一連の炊飯工程のうち沸騰維持工程中に前記鍋内を大気圧以上に加圧して炊飯する圧力式炊飯器において、前記プランジャーの駆動方向と、前記圧力弁を開放するスライダー部材の駆動方向が同一で、かつ、圧力の開放時に、両者とも前記蓋体の後方方向へ駆動する方向であり、また、ほぼ並行に配置されており、前記プランジャーの駆動と前記スライダー部材の駆動は、複数のリンク機構により連結されており、前記リンク機構は、前記プランジャーの移動に追従して動作する移動部材に連結された第１のリンク機構と、前記第１のリンク機構及び前記スライダー部材に連結された第２のリンク機構と、から構成されており、前記第１のリンク機構と前記第２のリンク機構とは遊びを持って連結されているもので、プランジャーの駆動方向と、スライダー部材の駆動方向が同一方向にすると同時に、プランジャーの開放方向を蓋体の後方を向けることにより、圧力加圧中の蓋体の前方の傾きの影響を受けず、圧力の開放をスムースに行うことができる。また、両者をほぼ並行に配置することにより、蓋体の全長を抑えて、コンパクトな圧力式炊飯器を提供することができる。また、プランジャーの駆動と、スライダー部材の駆動は、複数のリンク機構により連結することで、リンク機構を増やす、または伸ばす縮めることによりコンパクトにできることや隣接して配置できない場合でも、リンク機構を介して配置することで圧力弁開放機構のプランジャーの位置を自由に配置出来る。
【００１８】
第２の発明は、特に、第１の発明のプランジャーの駆動する量と、スライダー部材の駆動する量が、リンク機構により同じ駆動量になるようにしたもので、圧力弁開放機構のプランジャーの開放力をそのまま、スライダー部材へ伝えて、確実に弁開閉を行うことができる。
【００１９】
第３の発明は、特に、第１の発明のプランジャーの駆動する量と、スライダー部材の駆動する量を、リンク機構により調整できるようにしたもので、例えば、リンク機構の遊合突起位置を変えるなどして、プランジャーの駆動する量と、圧力弁を開放するスライダー部材の駆動量を変えることができ、前記プランジャーの駆動量に依存されることなく、スライダー部材の駆動量の調整が出来る。
【００２０】
以下、図面を参照して、本発明の実施の形態を説明する。但し、以下に示す実施の形態は、本発明の技術的思想を具体化するための圧力式炊飯器を例示するものであって、本発明をこの圧力式炊飯器に特定することを意図するものではなく、本発明は特許請求の範囲に含まれるその他の実施の形態のものにも等しく適用し得るものである。
【００２１】
（実施の形態１）
本発明の実施の形態１における圧力式炊飯器について、図１〜図１１を用いて説明する。
【００２２】
図１は、本実施の形態にかかる圧力式炊飯器の外観斜視図、図２は、同圧力式炊飯器の蓋体の外蓋を外した時のその内部状態を示す平面図、図３は、同圧力式炊飯器の蓋体の一部を外した時のその内部状態を示す側面図、図４は、同蓋体の一部を外した時の内部状態を示す斜視図、図５は、図４に示す蓋体の内部の一部拡大図、図６は、同圧力式炊飯器の圧力弁と圧力弁開放機構が作動していない状態における蓋体内部平面図、図７は、図６の蓋体の内部の一部拡大図、図８は、同圧力式炊飯器の圧力弁と圧力弁開放機構が作動している状態における蓋体内部平面図、図９は、図８に示す蓋体の内部の一部拡大図、図１０は、同圧力弁を示す説明図、図１１は、同圧力式炊飯器の圧力弁開放機構の構成を示す分解斜視図、図１２は、同圧力式炊飯器の蓋体の要部拡大断面図である。
【００２３】
図１〜１２において、本実施の形態における圧力式炊飯器１（以下、「炊飯器１」という）は、水と米とを含む被炊飯物を入れる鍋（図示せず）と、この鍋を着脱自在に収容する開口（図示せず）、鍋内の被炊飯物（図示せず）を加熱する誘導加熱コイル等からなる加熱手段（図示せず）並びに加熱手段を制御して被炊飯物の炊飯及び保温制御を行なう制御手段（図示せず）を有する炊飯器本体２と、鍋及び炊飯器本体２の開口を塞ぐ蓋体３とを備えている。
【００２４】
蓋体３には、蓋体３を、炊飯器本体２にロックし及びロックを解除する蓋体ロック機構７０と、蓋体３内に設けられた鍋と外気とを連通する蒸気通路（図示せず）と、蒸気通路を連通又は遮断して鍋内の圧力を実質的に一定とするように開閉機構を有する圧力弁２９（図１０参照）と、圧力弁２９に付設され、圧力弁２９を強制的に開状態にするための圧力弁開放機構３０が設けられ、制御手段の指示によって鍋内を大気圧より高い圧力に加圧して炊飯することができる。
【００２５】
図示を省略した制御手段は、加熱手段の加熱量を制御するとともに、鍋内の圧力を略一定とするように鍋と外気とを連通又は遮断する圧力弁２９と、圧力弁２９を強制的に開状態にするための圧力弁開放機構３０とを制御することによって、鍋内の圧力の制御を行なう。すなわち、制御手段は、被炊飯物の沸騰中に、圧力弁開放機構３０により、圧力弁２９を少なくとも１回開動作させて鍋内の圧力を変更するようにしている。なお、制御手段
による制御は、制御手段に記憶されたプログラムを実行することで行われる。
【００２６】
炊飯器本体２は、その内部に鍋を収容する非金属材料で成形された有底筒状の内ケース（図示せず）と、この内ケースを覆う外ケース（図示せず）とを有し、内ケース内に鍋が着脱自在に収容されるようになっている。内ケースの上端部には、外周へ突出したフランジ部（図示せず）が形成されている。鍋には、その上端開口部（図示せず）に外方に張り出すフランジ（図示せず）が形成されており、このフランジが内ケースのフランジ部に掛るように載置される。
【００２７】
また、内ケースのフランジ部の対向する側面側には、一部分を切り欠いた切り欠き部（図示せず）が形成されており、鍋のフランジの一部がこの切り欠き部からはみ出し、鍋を内ケース内から取出しやすくなっている。内ケースの底部付近の外周囲には、誘導加熱コイル（図示せず）が配設されている。また、内ケースには、上方開口部（図示せず）と誘導加熱コイルとの間に側面ヒータ（図示せず）が配設されている。
【００２８】
炊飯器本体２には、加熱手段である誘導加熱コイル、側面ヒータ及び蓋ヒータ（図示せず）等へ電力の供給・制御を行う制御基板（図示せず）が底面の吸気孔（図示せず）に近接した箇所に配設されている。電源制御基板（図示せず）には、特に、図示しないが、炊飯の各工程を制御するマイコンや、半導体素子からなるインバータ、スイッチング素子、タイマー素子等の電子部品が装着されている。これらの電子部品のうち、特に、インバータは、作動時に発熱するので、同じく図示しないが、ヒートシンク、或いは冷却ファンによって冷却される。また、炊飯器本体２の底部の中央部には、鍋の底面に接触するようにして温度検出センサ（図示せず）が設けられている。
【００２９】
炊飯器本体２の底部には、左右に、空気を吸気する吸気孔（図示せず）及び吸気された空気を排出する排気孔（図示せず）が形成され、吸気孔及び排気孔は、底部に所定の幅長及び長さを有する複数本の細溝、いわゆるスリット（図示せず）で形成されている。冷却ファン（図示せず）が吸気孔に近接した位置に配設されていて、モータ（図示せず）により作動され、吸気孔から吸気した空気でインバータを冷却するようになっている。
【００３０】
炊飯器本体２の上部前面には、前蓋７が設けられており、その前蓋７の上面は、操作プレート２３となっている。この操作プレート２３には、炊飯ボタン、選択及び時刻調整ボタン、切りボタン、保温ボタン、予約ボタン及びファンクションボタン等の操作釦２３ａ及び表示パネル２４が装着されており、表示パネル２４には、制御・選択された炊飯メニュー等が表示される。
【００３１】
蓋体３は、枠体９の上側に、外蓋８及び下側に蓋カバー１１をそれぞれ取り付け、蓋カバー１１を介して、枠体９に内蓋１０（図１０参照）が着脱自在に装着される構成を有し、炊飯器本体２の内ケースの上方開口部を覆うように取り付けられている。蓋体３は、枠体９が、ヒンジ部材１５と枢支ピン１６とを用いて、炊飯器本体２に軸支されており、蓋体３が、炊飯器本体２の内ケースの上方開口部を開閉できるようになっている。
【００３２】
また枠体９と内蓋１０の間には、蓋カバー１１に覆われて蓋ヒータが配設されるとともに、蓋温度センサ（図示省略）が設けられている。内蓋１０のほぼ中央部には、鍋の圧力や温度の検知用のセンサ（図示せず）が取り付けられるとともに、炊飯器本体２内の蒸気圧を制御し圧力を調整して吹きこぼれを防ぐ圧力弁２９や、圧力弁２９の故障などで鍋が異常に加圧されたときに開放され、鍋の圧力を逃がす安全弁（図示省略）が装着されている。
【００３３】
外蓋８には、吹きこぼれるおねばを一時貯留するおねば貯留タンク２７が着脱自在に装
着されている。おねば貯留タンク２７の内部は、蒸気とおねばとを分離させるために上下から分離構造を設けた多室構造となっており、蒸気口２７ａを、蒸気のみが通過できるようになっている。おねばは、立上げ加熱工程、沸騰維持工程で、おねば貯留タンク２７に溜まり、蒸らし工程で鍋内の圧力が低下すると、負圧弁（図示せず）から鍋内に戻される。
【００３４】
内蓋１０の外周囲には、鍋のフランジと内蓋１０とをシールする鍋パッキン１３（図１０）が外枠１４（図１０）に支持されて装着されている。炊飯器本体２内に、鍋を収容して蓋体３で炊飯器本体２の開口を覆うと、鍋パッキン１３が、鍋の開口縁部に圧接して鍋が閉鎖される。また、内蓋１０の鍋側には、おねば貯留タンク２７（図１参照）に溜められたおねばを、鍋内に拡散して供給するための、おねば拡散部（図示せず）が取り付けられている。
【００３５】
蓋体３の内蓋１０は、ステンレス鋼材やアルミニウム材あるいは両者からなるクラッド材で形成されたものである。内蓋１０は、金属板を周縁部と内部との間に段差が形成されるように円盤状にプレス成型して形成され、周縁部にはゴム製の鍋パッキン１３を介して硬質のプラスチック製の外枠１４が取り付けられている。外枠１４には、内蓋１０を装着するための係止部（図示せず）が設けてある。鍋パッキン１３は、鍋のフランジと密着し、鍋をシールすることにより圧力を保持する。鍋パッキン１３は、耐久性、耐熱性に優れているシリコンゴムで形成するのが好ましい。
【００３６】
また、内蓋１０内には、鍋と外気とを連通する蒸気通路２８と、蒸気通路２８を連通又は遮断して、鍋内の圧力を実質的に一定にする動作を可能にした圧力弁２９が設けられている（図１０参照）。なお、図２は、蓋体３から外蓋８を外して、内蓋１０の方を見た平面図であり、格子状に組まれているのは枠体９である。内蓋１０のほぼ中央付近に圧力弁２９が設けられており、この圧力弁２９が、蓋カバー１１の中央付近の孔から外蓋８内に突出している。
【００３７】
この圧力弁２９は、図１０に示すように、弁孔２９ａを有する弁座２９ｂと、この弁座２９ｂの上に載置され、自重により弁孔２９ａを塞ぐ開閉機構である金属製のボール２９ｃと、このボール２９ｃを覆うカバー２９ｅとからなる。この圧力弁２９は、鍋内の圧力とボール２９ｃの自重とのバランスによってボール２９ｃが弁孔２９ａ上に移動したり離れたりすることにより、さらには、後述する外蓋８の内部に取り付けられた圧力弁開放機構３０のソレノイド３２の作動に連動した作動部材（図示せず）により、強制的にボール２９ｃを移動させることにより、弁孔２９ａの開閉が行われるようになっている。なお、圧力弁２９の作動部材が突き当たる部分には、シールパッキン１７が施され蒸気が漏れないようになされている。
【００３８】
炊飯器本体２には、蓋体３を開閉可能に結合するヒンジ部材１５の反対側にある前蓋７付近の内ケース上端部に係止部材１２ａ（図１２）が設けられており、この係止部材１２ａに形成された２つの係止爪１２ｂと、蓋体３に形成された係止部７２とが係合される蓋体ロック機構７０を備えており、蓋体３を閉鎖位置に係止することができる。係止部７２は押し釦７６を介して、外蓋８に設けた蓋体３のロック解除釦７５と連動されて、蓋体３の開閉を行うようになっている。
【００３９】
本実施の形態における炊飯器１においては、図１〜図１１に示すように、圧力弁開放機構３０が設けられ、加圧時には、ソレノイド３２を作動させ、リンク機構３８により、スライダー部材４３を引き込み、圧力弁２９が閉じて、圧力炊飯を可能にしている。また、圧力を解除する場合には、ソレノイド３２を解除して、圧力弁２９を開放して、圧力を抜く構造になっている。
【００４０】
本実施の形態における圧力弁開放機構３０は、電気的又は機械的手段によって移動が可能なプランジャー、例えばソレノイド３２の可動鉄芯であるプランジャー３４と、圧力弁２９にプランジャー３４の移動を伝動するため、プランジャー３４と圧力弁２９間に設けたリンク機構３８を有し、リンク機構３８により伝動されたプランジャー３４の移動によって作動されるスライダー部材４３が設けられている。スライダー部材４３には、圧力弁２９を押動する作動軸４４と、開放抑制ロック部材６０を押動するロック部材押圧部４５とが形成されている。
【００４１】
以下、炊飯器１のリンク機構３８を備えた圧力弁開放機構３０の構成について説明する。図２に示したように、蓋体３の外蓋８を外すと、図２を正面から見て右手部分に圧力弁開放機構３０があり、その左側にはリンク機構３８で連結されたスライダー部材４３が配置されている。また、蓋体３の略中央部には、圧力弁２９が格納された圧力弁格納部３１が備えられている。
【００４２】
図４及び図４の一部拡大図である図５に示すように、圧力弁開放機構３０は、ソレノイドカバー３３に格納されたソレノイド３２と、ソレノイド３２の励磁により移動可能なプランジャー３４と、プランジャー３４の移動に追従する移動部材３６と、一端がソレノイド３２の固定部材に枢支されており、かつ移動部材３６に連結されているリンクバーＡ３９ａと、リンクバーＢ３９ｂと、リンクバーＢ３９ｂと連結されたスライダー部材４３で構成されている。
【００４３】
すなわち、ソレノイド３２の可動をリンクバーＡ３９ａと、リンクバーＢ３９ｂにより、スライダー部材４３に伝達して、圧力弁２９の開閉をできるようになっている。
【００４４】
リンク機構３８は、リンクバーＡ３９ａとリンクバーＢ３９ｂで形成され、リンクバーＡ３９ａは、略中央部に移動部材に遊びをもって嵌め合される貫通孔４６が設けられている。また、リンクバーＡ３９ａとリンクバーＢ３９ｂとの遊合には、リンクバーＡ３９ａに遊合突起４９をもって嵌め合される、リンクバーＢ３９ｂの貫通孔である遊合孔４２に遊合される。いわゆる遊びを設けて形成されている。
【００４５】
図６に示すように、プランジャー３４が励磁されソレノイド３２内に引き込まれている状態では、圧力弁開放機構３０が作動していないので、スライダー部材４３の作動軸４４が圧力弁２９のボール２９ｃから離れており、ボール２９ｃは、弁孔２９ａを塞いでいる。そのため、炊飯器１内の圧力は加圧されることになり、圧力弁２９の働くまで大気圧よりも高い気圧に上昇する状態である。
【００４６】
この時点で、加圧状態から急激な減圧をすることにより爆発的な撹拌作用を起こして炊飯を行うために、制御手段の指示によって頻繁な加圧、減圧を繰り返す場合には、ソレノイド３２の解磁と励磁が繰り返され、スライダー部材４３が頻繁に移動と復帰を行う。
【００４７】
すなわち、制御手段の指示によって圧力弁開放機構３０におけるソレノイド３２の励磁が解かれると、プランジャー３４は、復帰バネ３４ａによって手前に押し出される。このプランジャー３４の動きに合わせ移動部材３６が移動され、移動部材３６に形成された遊合突起３７に連結されたリンクバーＡ３９ａが動き、さらに、それに連結されたリンクバーＢ３９ｂが摺動して、スライダー部材４３を押し出し、圧力弁２９のボール２９ｃが弁孔２９ａから押し退けられて、鍋内の圧力を急激に減圧することになる。
【００４８】
その後、ソレノイド３２はすぐに励磁されるので、圧力弁開放機構３０は、元の位置に復元し、スライダー部材４３は、圧力弁２９側の位置から反対側の蓋体ロック機構７０が
ある側へ移動させられる。このような動作が所定回数繰り返される。
【産業上の利用可能性】
【００４９】
以上のように、本発明に係る圧力式炊飯器は、圧力加圧中の蓋体の前方の傾きの影響を受けず、圧力の開放をスムースに行うことができ、また、プランジャーとスライダー部材をほぼ並行に配置することにより、蓋体の全長を抑えて、コンパクトにできるので、家庭用、業務用の各種圧力式炊飯器に適用できる。
【符号の説明】
【００５０】
１      圧力式炊飯器（炊飯器）
２      炊飯器本体
３      蓋体
７      前蓋
８      外蓋
９      枠体
１０    内蓋
１１    蓋カバー
１２ａ  係止部材
１３    鍋パッキン
１４    外枠
１５    ヒンジ部材
１６    枢支ピン
１７    シールパッキン
２３    操作プレート
２４    表示パネル
２７    おねば貯留タンク
２７ａ  蒸気口
２８    蒸気通路
２９    圧力弁
２９ａ  弁孔
２９ｂ  弁座
２９ｃ  ボール
２９ｅ  カバー
３０    圧力弁開放機構
３１    圧力弁格納部
３２    ソレノイド
３３    ソレノイドカバー
３４    プランジャー
３４ａ  復帰バネ
３６    移動部材
３７、４９  遊合突起
３８    リンク機構
３９ａ  リンクバーＡ
３９ｂ  リンクバーＢ
４２    遊合孔
４３    スライダー部材
４４    作動軸
４５    ロック部材押圧部
６０    開放抑制ロック部材
７０    蓋体ロック機構
７２    係止部
７５    ロック解除釦
７６    押し釦
【図１】
0005903553.tif 000002
【図２】
0005903553.tif 000003
【図３】
0005903553.tif 000004
【図４】
0005903553.tif 000005
【図５】
0005903553.tif 000006
【図６】
0005903553.tif 000007
【図７】
0005903553.tif 000008
【図８】
0005903553.tif 000009
【図９】
0005903553.tif 000010
【図１０】
0005903553.tif 000011
【図１１】
0005903553.tif 000012
【図１２】
0005903553.tif 000013